(57)【要約】【課題】貼着し易く脱落防止が図れる新たなタイプの貼着式ホイールバランスウエイトを提供する。【解決手段】本発明の貼着式ホイールバランスウエイト（１）は、ウエイト本体と、ウエイト本体を車両用ホイールに貼着する貼着テープとからなり、ウエイト本体が、薄帯状のインナーピース（１１）と、このインナーピースの外周面を覆うように折り重ねられた金属板片からなるアウターピース（１２）とからなり、アウターピースがウエイト本体が小分けされる前に隣接間で分離した状態でインナーピースの延在方向に沿って並列配置されていることを特徴とする。本発明のバランスウエイトによれば、複数のアウターピースを一度に把持して貼着することが容易であり、また貼着時に必要な押付力の低減も十分に図られるため、貼着作業性に優れる。また、貼着後のウエイト本体に作用する反発力も十分に低減されるため、使用中のバランスウエイトの脱落を有効に防止できる。【選択図】図１Ｂ
2015113963.tif 000002
【特許請求の範囲】
【請求項１】
ウエイト本体と、
該ウエイト本体を車両用ホイールに貼着する貼着テープと、
からなる貼着式ホイールバランスウエイトであって、
前記ウエイト本体は、薄帯状のインナーピースと、該インナーピースの外周面を覆うように折り重ねられた金属板片からなるアウターピースとからなり、
該アウターピースは、該ウエイト本体が小分けされる前に隣接間で分離した状態で該インナーピースの延在方向に沿って並列配置されていることを特徴とする貼着式ホイールバランスウエイト。
【請求項２】
前記アウターピースは、並列配置される隣接間の間隙が前記貼着テープに貼着される裏面側よりも該貼着テープの反対側である表面側で大きい請求項１に記載の貼着式ホイールバランスウエイト。
【請求項３】
前記アウターピースは、前記金属板片の両端部が対峙する対峙部が前記貼着テープに貼着される裏面側に配置されている請求項１または２に記載の貼着式ホイールバランスウエイト。
【請求項４】
前記インナーピースは、薄鋼板からなり、
前記アウターピースは、該インナーピースよりも厚い鋼板からなる請求項１〜３のいずれかに記載の貼着式ホイールバランスウエイト。
【請求項５】
薄帯状の芯材と帯状の金属板を折り曲げてなり該芯材を包囲する外材とからなる帯状の合成材を半抜き加工する半抜き工程と、
該半抜き加工された部分を平押し加工する平押し工程とを備え、
該芯材を分断せずに該外材を分断して、該芯材を前記インナーピースとし該分断した外材を前記アウターピースとする請求項１〜４のいずれかに記載のウエイト本体を得ることを特徴とする貼着式ホイールバランスウエイトの製造方法。
【請求項６】
前記合成材は、前記外材をロールフォーミング加工して得られる請求項５に記載の貼着式ホイールバランスウエイトの製造方法。
【請求項７】
薄帯状の芯材の外周面に金属板片を覆うように折り重ねる折重工程を備え、
該連続した芯材を前記インナーピースとし該芯材を包囲する分離独立した金属板片を前記アウターピースとする請求項１〜４のいずれかに記載のウエイト本体を得ることを特徴とする貼着式ホイールバランスウエイトの製造方法。
【発明の詳細な説明】
【技術分野】
【０００１】
本発明は、回転アンバランスを解消するために車両用ホイールに貼着される貼着式ホイールバランスウエイトおよびその製造方法に関する。
【背景技術】
【０００２】
自動車や二輪車の車輪のように高速回転する回転体に、振動原因となるアンバランスを解消するためにバランスウエイトが取り付けられる。このバランスウエイトには、車両用ホイールのリム外周縁にウエイト本体を係止する係止式（クリップ式またはフック式）と、そのリム内周面にウエイト本体を両面粘着テープなどで貼着する貼着式とがある。昨今では、意匠性に優れたアルミホイールが増え、その外観を保持するために貼着式のバランスウエイトが利用されることが多い。このような貼着式ホイールバランスウエイト（適宜「バランスウエイト」という。）に関する記載が、例えば、下記の特許文献にある。
【先行技術文献】
【特許文献】
【０００３】
【特許文献１】特開２００３−２０６９９４号公報
【特許文献２】特開２００５−６９４２６号公報
【特許文献３】特開２０１１−１８５３３１号公報
【発明の概要】
【発明が解決しようとする課題】
【０００４】
特許文献１は、下面側（両面テープの貼着側）に溝条を設けた略帯状の鉄系ウエイトからなるバランスウエイトを提案している。このバランスウエイトは、ホイールのリム内周面へ貼着する際の拡径側に溝条があるため、リム内周面に沿って湾曲し易く、貼着時の押付力の低減や貼着後の反発力の低減を図り得る。
【０００５】
特許文献２は、隣接するウエイトの架橋部を、ウエイトよりも厚さや幅を低減した小断面とすることにより、ウエイト間の連結剛性を低下させて、貼着時の押付力の低減や貼着後の反発力の低減を図ったバランスウエイトを提案している。
【０００６】
ところで、特許文献１や特許文献２にあるような一体型のバランスウエイトは、ウエイト部とそれらを連結する架橋部を、単一の鋼材をプレス成形して一体的に形成している。このようなバランスウエイトでは、架橋部が高剛性であるため、複数のウエイト部を有する場合でも、バランスウエイトの一部を把持するだけで、その搬送、貼着位置合せ等を容易に行うことができ、貼着作業性に優れる（図１１Ａ参照）。
【０００７】
しかし、鋼材をプレス成形して形成される架橋部（ノッチ、溝条）の近傍は、加工硬化等により高強度となっている。このことは図１２Ａまたは図１２Ｂからも明らかである。図１２Ａは、厚さ３．２ｍｍの低炭素鋼板をプレス成形して形成された厚さ０．４ｍｍの架橋部の近傍における硬さ分布を示している。図１２Ａから明らかなように、架橋部の表面近傍は母材の２〜２．５倍程度にまで加工硬化していることがわかる。図１２Ｂは、架橋部近傍の断面を観察した金属組織写真である。図１２Ｂからも明らかなように、架橋部近傍は金属組織が緻密化しており、高強度化していることがわかる。
【０００８】
このように一体型のバランスウエイトは、架橋部の周辺がプレス成形により高強度化しているため、その貼着時にリム内周面に沿って湾曲させるには大きな押付力が必要となる。さらに、その架橋部の高強度化に伴い、貼着後のバランスウエイトにはスプリングバックによる大きな反発力も作用し得る。大きな反発力の残存は、走行中におけるバランスウエイトの脱落を招来し得るため好ましくない。
【０００９】
一方、特許文献３では、そのような架橋部を設けず、金属板片を折り曲げてなる分離独立したウエイト部を両面テープ上に配列した分離型のバランスウエイトが提案されている。このようなバランスウエイトによれば、上述した押付力や反発力は実質的に作用しないため、貼着時の負荷低減や脱落防止を図り易い。しかし、分離型のバランスウエイトの場合、その一部を把持するだけでは複数のウエイト部を支持できず、バランスウエイトの搬送や貼着位置合せ等の貼着作業性が低下し得る（図１１Ｂ参照）。
【００１０】
本発明は、このような事情に鑑みて為されたものである。すなわち、バランスウエイトの搬送や貼着位置合せ等の貼着作業性を確保しつつ、貼着時の押付力の低減による貼着時の負担軽減とバランスウエイトの反発力の低減による貼着後の脱落防止とを図れる貼着式ホイールバランスウエイトおよびその製造方法を提供する。
【課題を解決するための手段】
【００１１】
本発明者はこの課題を解決すべく鋭意研究し試行錯誤を重ねた結果、薄帯状のインナーピースの外周囲に分離独立したアウターピースを配列配置してなるバランスウエイトを思い付き、これを発展させることにより、以降に述べる本発明を完成させるに至った。
《バランスウエイト》
【００１２】
本発明の貼着式ホイールバランスウエイトは、ウエイト本体と、該ウエイト本体を車両用ホイールに貼着する貼着テープと、からなる貼着式ホイールバランスウエイトであって、前記ウエイト本体は、薄帯状のインナーピースと、該インナーピースの外周面を覆うように折り重ねられた金属板片からなるアウターピースとからなり、該アウターピースは、該ウエイト本体が小分けされる前に隣接間で分離した状態で該インナーピースの延在方向に沿って並列配置されていることを特徴とする。
【００１３】
本発明の貼着式ホイールバランスウエイト（単に「バランスウエイト」という。）では、先ず、ウエイトの大部分を占めるアウターピースが各隣接間で分離独立した状態となっている。このため、隣接するアウターピース間で曲がり（回転変位）を生じ易く、一連のバランスウエイト（ウエイト本体）がホイールのリム内周面に沿って湾曲し易い。従って、非常に低い押付力でバランスウエイトをホイールのリム内周面に沿って貼着できる。また、その貼着後に隣接するアウターピース間で大きな反発力も生じないため、貼着後のバランスウエイトの脱落を十分に抑止できる。このように本発明のバランスウエイトによれば、貼着時に必要な押付力および貼着後に作用する反発力を大幅に低減できるため、バランスウエイトの貼着負担を大幅に軽減できると共に貼着されたバランスウエイトの脱落を効果的に防止できる。
【００１４】
次に、本発明のバランスウエイトでは、一連のアウターピースが、その略中央を貫く薄帯状のインナーピースにより連結されているため、バランスウエイトの一部を把持するだけでも、複数のアウターピースを一体的に扱うことができる。従って、バランスウエイトの搬送や貼着位置合せ等の貼着作業性も十分に確保されている。なお、インナーピースはアウターピースに対して十分に薄く、しかもアウターピースの略中央に配設されているため、一連のアウターピース（ウエイト本体）がリム内周面に沿って湾曲することを実質的に阻害することもない。
【００１５】
さらにバランスウエイトは、リム内周面の狭範囲内に集中的に貼着させるほど効率的なバランス調整が可能となる。本発明のバランスウエイトは、ウエイトピースの隣接間にノッチをいれる従来タイプのバランスウエイトと比べて、ウエイトピース間の隙間を小さくすることができるため、バランスウエイトの全長を短くでき、より効率的なバランス調整が可能となる。バランスウエイトは、最小径のホイールのリム内周面（曲率半径が１５５ｍｍのリム内周面）に沿って湾曲すれば十分であり、過度に湾曲する必要も無い。そこでアウターピース間の間隙は、アウターピース（ウエイト本体）の厚さやアウターピース同士が隣接する端面形状等にも依るが、通常、僅か（例えば０．０５〜０．５ｍｍ程度）でよい。この場合、インナーピースにより架橋された一連のアウターピースは、バランスウエイトの湾曲に伴い、隣接するアウターピースの対向端面同士で干渉するようになる。そのため本発明のバランスウエイトは、自ずと、その湾曲度合が所定範囲内に制限される。このような観点からも、本発明のバランスウエイトは、その一部を把持するだけで、その搬送や貼着位置合せ等の貼着作業を効率的に行うことができ、図１１Ｂに示すような状態にはなり難い。
【００１６】
なお、本発明のバランスウエイトの場合、コスト的、重量的に大きな部分を占めるアウターピースが金属板（片）を折り重ねて成形（折り曲げ成形）したものからなる。金属板は安価であり、その成形も高歩留まりで比較的容易に行える。従って本発明によれば、バランスウエイトの大幅な低コスト化を図れる。
【００１７】
《バランスウエイトの製造方法》
上述したバランスウエイトの製造には、種々の方法を用いることができるが、下記のような本発明の製造方法を用いると好適である。
【００１８】
（１）例えば、本発明の製造方法は、薄帯状の芯材と帯状の金属板を折り曲げてなり該芯材を包囲する外材とからなる合成材を半抜き加工する半抜き工程と、該半抜き加工された部分を平押し加工する平押し工程とを備え、該芯材を分断せずに該外材を分断して該芯材を前記インナーピースとし該分断した外材を前記アウターピースとした上述のウエイト本体を得ることを特徴とする。なお、合成材は、例えば、外材をロールフォーミング加工して得ることができる。
【００１９】
（２）また本発明の製造方法は、薄帯状の芯材の外周面に金属板片を覆うように折り重ねる折重工程を備え、該連続した芯材を前記インナーピースとし該芯材を包囲する分離独立した金属板片を前記アウターピースとした上述のウエイト本体を得ることを特徴とするものでもよい。
【００２０】
《その他》
インナーピースが「薄帯状」であるとは、バランスウエイトを小分けする前のインナーピースが連続した板状または帯状であり、アウターピースを構成する金属板または金属板片（両者を併せて適宜「金属板」という。）よりも薄いことを意味する。例えば、インナーピースが薄鋼板からなる場合、アウターピースはインナーピースよりも厚い鋼板からなると好ましい。
【図面の簡単な説明】
【００２１】
【図１Ａ】本発明の一実施例であるバランスウエイトを表面側から観た斜視図である。
【図１Ｂ】本発明の一実施例であるバランスウエイト（貼着テープ省略）を裏面側から観た斜視図である。
【図２】その製造工程を示す説明図である。
【図３Ａ】合成材を半抜き加工する様子を示す説明図である。
【図３Ｂ】半抜き加工後の合成材１０を送る様子を示す説明図である。
【図３Ｃ】半抜き加工後の合成材１０を平押し加工する様子を示す説明図である。
【図４】半抜き加工および平押し加工されたアウターピースとインナーピースを示す断面図である。
【図５】ウエイト本体の表面、裏面および端面を示す図である。
【図６】比較する各ウエイト本体の外観写真と形状を示す説明図である。
【図７】各ウエイト本体に係る押付力および反発力の測定装置である。
【図８】各ウエイト本体に係る押付力と反発力の関係を示す分散図である。
【図９】本発明の他の実施例であるバランスウエイトを示す斜視図である。
【図１０】本発明の別の実施例であるバランスウエイトを示す斜視図である。
【図１１Ａ】一体型のバランスウエイトをホイールのリム内周面に貼着する様子を示す写真である。
【図１１Ｂ】分離型のバランスウエイトをホイールのリム内周面に貼着する様子を示す写真である。
【図１２Ａ】鋼材をプレス成形して形成した架橋部近傍の硬さ分布を示す説明図である。
【図１２Ｂ】その架橋部近傍の金属組織写真である。
【発明を実施するための形態】
【００２２】
発明の実施形態を挙げて本発明をより詳しく説明する。以下の実施形態を含め、本明細書で説明する内容は、本発明のバランスウエイトのみならず、その製造方法にも適宜適用される。上述した本発明の構成に、以降に示す構成中から任意に選択した一つまたは二つ以上の構成を付加することができる。製造方法に関する構成は、プロダクトバイプロセスとして理解すればバランスウエイトに関する構成ともなり得る。なお、いずれの実施形態が最良であるか否かは、対象、要求性能等によって異なる。
【００２３】
《ウエイト本体》
（１）ウエイト本体は、芯材であるインナーピースと、その外周囲を覆うように折り重ねられた外材（金属板または金属板片）からなるアウターピースにより構成される。ウエイト本体の長さ、一本のインナーピースに並列配置されるアウターピースの個数等は問わない。貼着式のバランスウエイトは、通常、所定のグラム数毎に分けて出荷されている。
【００２４】
ウエイト本体を構成するアウターピースやインナーピースの材質やサイズは問わない。アウターピースまたはインナーピースは、例えば、鉄系材（純鉄または鉄鋼等の鉄合金）、銅系材（純銅または銅合金）、亜鉛合金などの金属材からなると好ましい。特に、予め防錆処理がなされた金属材（例えば亜鉛メッキ鋼板等）を用いると、バランスウエイトの防錆処理を削減でき、バランスウエイトの製造コスト低減を図れる。
【００２５】
アウターピースとインナーピースは、同材質でも異材質でもよい。特に、薄帯状のインナーピースは、金属材の他、樹脂材（例えば、塩化ビニール、ポリエチレン、ポリエステル、ポリプロピレン、等の高分子材）、ゴム材、布材、繊維材、紙類等を用いることもできる。またアウターピースとインナーピースが共に金属材である場合でも、それぞれが異種材（例えば、鉄系材と銅系材等）でもよい。
【００２６】
（２）本発明に係るアウターピースは、インナーピースを囲繞するように金属板（金属板片を含む。）を折り曲げてなる。本発明では、その折り曲げ方を問わないが、折り曲げ方により金属板の両端部を、インナーピースの略中央部で突合せ状態とさせたり、部分的に重ねたり、インナーピースの端面側で略平行にしたりできる。
【００２７】
バランスウエイトの意匠性、生産性または貼着テープへの貼着性等を考慮すると、金属板の両端部がインナーピースの略中央部で対峙した対峙部となっていると好ましい。しかも、そのような対峙部が貼着テープ側に配置されていると、バランスウエイトをリム内周面に貼着した際の意匠性がより向上し得る。従ってアウターピースは、金属板片の両端が対峙する対峙部が貼着テープに貼着される裏面側に配置されていると好適である。なお、対峙部は、対峙する両端面が離間状態にあっても、当接状態（突合せ状態）となっていてもよい。
【００２８】
（３）分離独立したアウターピースが複数配設されているバランスウエイトをリム内周面に貼着した場合、隣接するアウターピース間の間隙は、インナーピースに対して内周側（ホイールの中心側）で縮小し、その反対側である外周側（リム内周面側）で拡大する。そこでアウターピースは、並列配置される隣接間の間隙が貼着テープに貼着される裏面側よりも貼着テープの反対側である表面側で大きいと、貼着時に隣接するアウターピースの内周側端部における過度な干渉が回避されて好ましい。ちなみに、ウエイト本体の厚さにも依るが、そのような間隙は、通常、０．１〜０．５ｍｍ程度であり、表面側と裏面側の間隙差も０．０５〜０．２ｍｍ程度で十分である。なお、本発明の製造方法に係る半抜き工程および平押し工程を行うと、その間隙差の調整も併せて行うことができる。
【００２９】
（４）アウターピースの具体的な形状や成形方法（折曲方法）は種々あり得る。例えば、アウターピースは、インナーピースの外周囲を一重で囲繞しても二重以上で囲繞してもよい。またバランスウエイトのリム内周面への貼着性を高めるために、各アウターピース自体がリム内周面に応じて適度に湾曲していてもよい。さらにバランスウエイトは、予め防錆処理された金属板を用いると好ましいが、成形後に別途、アルミ銀粉塗装などのメタリック塗装、亜鉛クロメート処理、ジオメット（登録商標）処理またはマグニ処理などの防錆処理がなされてもよい。
【００３０】
《貼着テープ》
貼着テープは、リム内周面へ貼着される側に粘着面を有し、出荷時にはその粘着面に剥離紙が付されている。貼着テープは、クッション材付きの両面粘着テープであると好ましい。これにより、アウターピースやリム内周面の微妙な凹凸がそのクッション材で吸収され、バランスウエイトの貼着性や耐脱落性の向上が図られる。特に、アウターピースの対峙部が貼着テープの粘着面に貼着される場合、クッション材があると好ましい。
【００３１】
《製造方法》
バランスウエイト（特にアウターピース）は種々の方法で製造できるが、低コストで歩留まりよく生産するために冷間成形（プレス成形、型鍛造等）が好適である。
【実施例】
【００３２】
［実施例１］
《バランスウエイト》
本発明を具体的に説明するために、その一実施例であるバランスウエイト１を図１Ａおよび図１Ｂ（適宜、両者を併せて「図１」という。）に示した。バランスウエイト１は、ウエイト本体を構成する薄帯状のインナーピース１１と、インナーピース１１の延在方向に連なる分離独立した複数のアウターピース１２と、アウターピース１２の裏面１２ｂに一方の粘着面が貼着される両面粘着テープＴ（図１Ｂでは、あえて貼着テープを省略して示した。）とからなる。
【００３３】
インナーピース１１は、例えば、板厚０．４ｍｍ×幅１５ｍｍの低炭素鋼板（冷間圧延鋼板：ＳＰＣ）からなる。アウターピース１２は、そのインナーピース１１の外周面を覆うように折り重ねた金属板（ＳＰＣ／例えば板厚１．６ｍｍ×幅４０ｍｍ）を、所定の長さ単位（例えば１０ｍｍ）毎に切断して、分離独立させてなる。
【００３４】
アウターピース１２は、図１Ｂに示すように、金属板片の両端部が対峙する対峙部１２ｃがインナーピース１１の幅方向の略中央に配置されるように折り曲げられている。また、インナーピース１１の延在方向に隣接するアウターピース１２同士は、僅かな間隙が形成されている。具体的にいうと、アウターピース１２の表面１２ａ側には間隙１３ａ（例えば０．２ｍｍ）が、アウターピース１２の裏面１２ｂ側には間隙１３ａよりも小さい間隙１３ｂ（例えば０．１ｍｍ）が形成されている。
【００３５】
《製造方法》
（１）成形加工
上述したバランスウエイト１の製造工程を図２に示した。先ず、ステップＳ１〜Ｓ８に示すように、ロールフォーミング加工により、アウターピース１２を構成する上述した金属板からなる外材１２０を、徐々に平板状から折り重なった状態へ成形していく。この成形途中である外材１２０を略Ｕ字状に成形した段階で、その内側に芯材１１０を挿入する（ステップＳ３）。芯材１１０を内包した外材１２０をさらに成形することにより、芯材１１０の外周面に密接してその外周面を覆うように外材１２０が折り重ねられた帯状の合成材１０が得られる（ステップＳ８）。
【００３６】
（２）切断加工（半抜き加工）
こうして得られた合成材１０を、所定ピッチで外材１２０のみの切断加工を行うと、連続したインナーピース１１の外周囲に分離独立したアウターピース１２が並列配置されたバランスウエイト１が得られる（ステップＳ９）。合成材１０の切断加工方法は、種々考えられるが、量産性や生産コスト等を考慮すると、図３Ａ〜図３Ｃ（適宜、これらを併せて図３という。）に示す半抜き加工および平押し加工（両者を併せて単に「半抜き加工」ともいう。）を利用すると好ましい。
【００３７】
これらの加工は、例えば、図３に示す成形型Ｆを用いて行うことができる。成形型Ｆは、所定段差（例えば、外材１２０の板厚の１／２〜１／３程度）を設けた上型Ｐ（パンチ）および下型Ｄ（ダイ）からなる。上型Ｐは、ガイドＧ側に平坦な下面Ｐａと、下面Ｐａからほぼ直角に切り立った垂直面Ｐｂと、下面Ｐａよりも上記の所定段差分だけ上方にシフトした平坦な下面Ｐｃを有する。下型Ｄは、ガイドＧ側に平坦な上面Ｄａと上面Ｄａからほぼ直角に切り立った垂直面Ｄｂと上面Ｄａよりも上記の所定段差分だけ上方にシフトした平坦な上面Ｄｃを有する。なお、本実施例では、垂直面Ｐｂと垂直面Ｄｂが垂直方向に関して重なるゼロクリアランスまたは両面が垂直方向に関して僅かにオーバーラップするマイナスクリアランスとなるように、上型Ｐと下型Ｄの配置を設定した。
【００３８】
この成形型Ｆを用いて、次のように外材１２０の切断加工を行った。先ず、合成材１０をガイドＧに沿って成形型Ｆ内へ所定ピッチ分づつ送る。その後、下面Ｐａと上面Ｄａの距離がバランスウエイト１の所望厚さとなるまで、上型Ｐを上方から下方へ駆動する。これにより上型Ｐと下型Ｄの間に配設された合成材１０は、下面Ｐａと垂直面Ｐｂにより形成される上刃と、垂直面Ｄｂと上面Ｄｃにより形成される下刃とによって、上記の所定段差分だけ剪断される（半抜き工程）。但し、所定段差は、外材１２０の板厚の１／２〜１／３程度であるため、この段階では、芯材１１０の上面側および下面側にある外材１２０は、それぞれ未切断部分を残した状態となっている。また外材１２０の未切断部分に挟持されている芯材１１０は、半抜き加工後の合成材１０の形状（図３Ｂ参照）に応じて基本的に変形するのみであり、切断はされない。
【００３９】
この半抜き加工後、上型Ｐを上方へ駆動して、図３Ｂに示すように、加工後の合成材１０をアウターピース１２の長さ分（ピッチ）だけ送る。この後、上述した場合と同様に上型Ｐを下型Ｄに向けて再度駆動する。すると、図３Ｃに示すように、上刃（下面Ｐａおよび垂直面Ｐｂ）と下刃（垂直面Ｄｂと上面Ｄｃ）との間では、上述した場合と同様な半抜き加工が繰り返しなされる。これと並行して、先に半抜き加工された合成材１０の部分が平坦な下面Ｐｃと上面Ｄｃとの間で平押しされる（平押し工程）。この平押し加工により、半抜き加工後に残存していた外材１２０のそれぞれの未切断部分は、分離される。こうして分離独立したアウターピース１２が、外材１２０から成形される。この際、芯材１１０は、半抜き加工時とは逆方向に変形するのみであり、切断はされない。従って、上述した半抜き加工および平押し加工を繰り返し行うことにより、連続した薄帯状の芯材１１０からなるインナーピース１１に、分離独立したアウターピース１２が並列配置されたウエイト本体が得られる。
【００４０】
こうして得られたウエイト本体を、インナーピース１１の延在方向に沿って切断したときの断面図を図４に示した。図４からもわかるように、インナーピース１１は切断されていないが、その上下面側にあるアウターピース１２は切断分離されている。また、上記の半抜き加工および平押し加工を行うと、理由は必ずしも定かではないが、アウターピース１２の対峙部１２ｃ側の間隙１３ｂが、その反対面側の間隙１３ａよりも小さくなっている。このため、その対峙部１２ｃ側を両面粘着テープに貼着する裏面側（リム内周面側）とし、その反対面側を表面側とすると、湾曲性および意匠性に優れたバランスウエイト１を得ることができる。参考に、ウエイト本体の表面、裏面および端面（インナーピース１１の延在方向に垂直な断面）の様子を図５にまとめて示した。
【００４１】
《評価》
上述した半抜き加工および平押し加工により製造した本実施例に係るウエイト本体と、既述した特許文献１に係るウエイト本体（比較例１）と、特許文献２に係るウエイト本体（比較例２）とを用意し、それぞれを湾曲させる際の押付力およびその押付後の反発力を評価した。各ウエイト本体の詳細な形状は図６に示した。
【００４２】
押付力および反発力の測定は、図７に示すようにして行った。すなわち、市販車中でリム内径が最小（曲率半径：１５５ｍｍ）となるホイールと同様な内周曲面を備えた試験台上に、ウエイト本体を配置し、そのウエイト本体を押付治具で押圧する。その押付治具に作用する荷重とストローク量を連続的に計測する。計測は、ウエイト本体が試験台の内周曲面に沿って湾曲し終えて、印加する荷重が急上昇するまで行う。こうして計測中に作用させた荷重とストローク量の積分値から、ウエイト本体の湾曲に要した仕事量（エネルギー）を算出する。これを押付力として評価した。
【００４３】
次に、押付治具による押付荷重が急上昇したところから開始して、押付治具に印加する荷重を除荷していき、ウエイト本体の反発力により押付治具に作用する荷重とストローク量を、その荷重がゼロになるまで測定する。こうして計測中に受けた荷重とストローク量の積分値から、ウエイト本体のスプリングバックによる仕事量（エネルギー）を算出し、これを反発力として評価した。これらの測定を一試料あたり３回行い、それぞれのウエイト本体について得られた押付力と反発力の関係を図８に示した。なお、図８には、荷重の印加と除荷を行う引張試験機のストローク量を、そのストローク速度に基づいて換算した力積によって、各押付力と各反発力を表示した。
【００４４】
図８から明らかなように、本実施例に係るウエイト本体を用いれば、従来のウエイト本体を用いた場合よりも、非常に低い押付力でリム内周面に沿って湾曲し得ることがわかる。また反発力も、本実施例に係るウエイト本体を用いれば、従来のウエイト本体よりも十分に小さくなることがわかった。従って、本実施例のバランスウエイト１によれば、貼着作業性を確保しつつも、その作業負担を大幅に軽減でき、さらには貼着後の脱落も有効に抑止できる。
【００４５】
［実施例２］
本発明に係る他の実施例であるバランスウエイト２を図９に示した。バランスウエイト２もバランスウエイト１と同様に、ウエイト本体が薄帯状のインナーピース２１と、インナーピース２１の延在方向に連なる分離独立した複数のアウターピース２２とからなる。但し、バランスウエイト２は、バランスウエイト１とは異なり、予め所定の大きさに切断された金属板片を一つずつインナーピース２１の外周面に密接してその外周面を覆うように折り重ねること（折重工程）によりアウターピース２２が形成されている。本実施例の場合、アウターピース２２のピッチ（隣接するアウターピース２２間の間隙）の変更さらにはアウターピース２２の大きさ（重量）の変更等を行い易い。
【００４６】
［実施例３］
本発明に係る別の実施例であるバランスウエイト３を図１０に示した。バランスウエイト３もバランスウエイト１、２と同様に、ウエイト本体が薄帯状のインナーピース３１と、インナーピース３１の外周面に密接してその外周面を覆うように折り重ねられインナーピース３１の延在方向に連なる分離独立した複数のアウターピース３２とからなる。但し、このアウターピース３２は、アウターピース１２、２２と異なり、金属板を中央で二つ折りしてなり、その両端部がインナーピース３１の中央ではなくインナーピース３１の一方の端部側で重ね合わされてなる。
【符号の説明】
【００４７】
１    （貼着式ホイール）バランスウエイト
１１    インナーピース
１２    アウターピース
１２ｂ  アウターピースの裏面（貼着テープ側）
１２ｃ  対峙部
Ｔ    両面粘着テープ（貼着テープ）
【図１Ａ】
2015113963.tif 000003
【図１Ｂ】
2015113963.tif 000004
【図２】
2015113963.tif 000005
【図３Ａ】
2015113963.tif 000006
【図３Ｂ】
2015113963.tif 000007
【図３Ｃ】
2015113963.tif 000008
【図４】
2015113963.tif 000009
【図５】
2015113963.tif 000010
【図７】
2015113963.tif 000011
【図８】
2015113963.tif 000012
【図９】
2015113963.tif 000013
【図１０】
2015113963.tif 000014
【図１２Ａ】
2015113963.tif 000015
【図６】
2015113963.tif 000016
【図１１Ａ】
2015113963.tif 000017
【図１１Ｂ】
2015113963.tif 000018
【図１２Ｂ】
2015113963.tif 000019